(57)【要約】【課題】短時間で組立・分解可能であって、かつ木製柱パーツと木製背面板との接合強度が高い木製陳列棚を提供すること。【解決手段】本発明の木製陳列棚は、一対の木製柱パーツ１１及び木製背面板１２を備える。木製柱パーツ１１は、柱部２１及び柱ベース部２２を有する。木製背面板１２は両木製柱パーツ１１同士を連結する。また、柱部２１にはメス側金具８１が取り付けられ、木製背面板１２の両端面には、メス側金具８１に係合するオス側金具７１が取り付けられる。オス側金具７１には突部７４が設けられ、突部７４は軸部と頭部７６とを備える。また、メス側金具８１には、突部７４が係脱可能な孔部８３が設けられる。孔部８３は、幅が頭部７６の外径よりも大きく設定された幅広部８４と、幅が頭部７６の外径よりも小さくかつ軸部の外径よりも大きく設定された幅狭部８５とからなる。【選択図】図５
2020137840.tif 000002
【特許請求の範囲】
【請求項１】
柱部、及び、前記柱部の基端部に接続される柱ベース部を有する一対の木製柱パーツと、
前記一対の木製柱パーツ同士を連結する木製背面板と、
前記一対の木製柱パーツが有する一対の前記柱部間に設けられ、かつ前記木製背面板によって支持される木製バックパネルと、
一対の前記柱部の先端部同士を接続し、かつ前記木製バックパネルを覆うことにより前記木製バックパネルを固定する木製笠木と、
一対の前記柱部間に架け渡される木製棚板と
を備え、前記木製棚板に商品が載置可能な木製陳列棚であって、
前記柱部にメス側金具が取り付けられ、
前記木製背面板の両端面に、前記メス側金具に係合するオス側金具が取り付けられ、
前記オス側金具に、同オス側金具の表面から突出する突部が設けられ、
前記突部は、前記オス側金具の表面に接続される軸部と、前記軸部に接続されかつ外径が前記軸部の外径よりも大きく設定された頭部とを備え、
前記メス側金具に、前記突部が係脱可能な孔部が設けられ、
前記孔部は、前記柱部の先端側に配置され、幅が前記頭部の外径よりも大きく設定された幅広部と、前記柱部の基端側に配置されて前記幅広部に連通し、幅が前記頭部の外径よりも小さくかつ前記軸部の外径よりも大きく設定された幅狭部とからなる
ことを特徴とする木製陳列棚。
【請求項２】
前記メス側金具の裏面に、前記柱部に埋設される突片が設けられ、
前記突片に突片用ネジ孔が設けられ、
前記柱部を挿通したネジの先端部を前記突片用ネジ孔に螺着させることにより、前記メス側金具が前記柱部に固定される
ことを特徴とする請求項１に記載の木製陳列棚。
【請求項３】
前記オス側金具は、同オス側金具の外縁部を直角に折り曲げてなる折曲部を有し、
前記オス側金具にオス側金具用ネジ孔が設けられるとともに、前記折曲部に折曲部用ネジ孔が設けられ、
前記オス側金具用ネジ孔を挿通したネジの先端部を前記木製背面板の端面に螺着させるとともに、前記折曲部用ネジ孔を挿通したネジの先端部を前記木製背面板の裏面に螺着させることにより、前記オス側金具が前記木製背面板に固定される
ことを特徴とする請求項１または２に記載の木製陳列棚。
【請求項４】
請求項１乃至３のいずれか１項に記載の木製陳列棚を組み立てる方法であって、
前記柱部に前記メス側金具が予め取り付けられた前記一対の木製柱パーツ、両端面に前記オス側金具が予め取り付けられた前記木製背面板、前記木製バックパネル、前記木製笠木及び前記木製棚板を準備する準備工程と、
前記一対の木製柱パーツを並べた状態で、前記一対の木製柱パーツ間に前記木製背面板を挿入して前記オス側金具を前記メス側金具に係合させることにより、前記一対の木製柱パーツ同士を連結して立設状態とする連結工程と、
前記木製バックパネルを前記一対の木製柱パーツが有する一対の柱部間に挿入して前記木製背面板に当接させることにより、前記木製バックパネルを固定するパネル固定工程と
を含むことを特徴とする木製陳列棚の組立方法。
【請求項５】
請求項１乃至３のいずれか１項に記載の木製陳列棚を組み立てるためのパーツセットであって、
前記柱部に前記メス側金具が予め取り付けられた前記一対の木製柱パーツと、両端面に前記オス側金具が予め取り付けられた前記木製背面板と、前記木製バックパネルと、前記木製笠木と、前記木製棚板とを含むことを特徴とする木製陳列棚のパーツセット。
【請求項６】
複数の木製柱パーツと、隣接する前記木製柱パーツ同士を連結する木製連結材とを備え、商品が載置可能な木製陳列棚であって、
前記木製柱パーツにメス側金具が取り付けられ、
前記木製連結材の両端面に、前記メス側金具に係合するオス側金具が取り付けられ、
前記オス側金具に、同オス側金具の表面から突出する突部が設けられ、
前記突部は、前記オス側金具の表面に接続される軸部と、前記軸部に接続されかつ外径が前記軸部の外径よりも大きく設定された頭部とを備え、
前記メス側金具に、前記突部が係脱可能な孔部が設けられ、
前記孔部は、前記木製柱パーツの先端側に配置され、幅が前記頭部の外径よりも大きく設定された幅広部と、前記木製柱パーツの基端側に配置されて前記幅広部に連通し、幅が前記頭部の外径よりも小さくかつ前記軸部の外径よりも大きく設定された幅狭部とからなる
ことを特徴とする木製陳列棚。
【発明の詳細な説明】
【技術分野】
【０００１】
本発明は、店内において商品を陳列する際に用いる木製陳列棚及びその組立方法、木製陳列棚のパーツセットに関するものである。
【背景技術】
【０００２】
近年、店内において野菜や果物などの商品を見栄え良く陳列するための手段として、木製の陳列棚を用いることが増えつつある（例えば、特許文献１，２参照）。この種の陳列棚は、基本的に一対の木製柱パーツ、両木製柱パーツ同士を連結する木製背面板、陳列棚の後側を塞ぐ木製バックパネル、両木製柱パーツの上端部同士を接続する木製笠木、両木製柱パーツ間に架け渡される木製棚板等のパーツによって構成されている。なお、商品は、一般的には木製棚板の上面に陳列される。
【０００３】
ところで、一般的に、木製陳列棚は、工場や専門店等から完成品を店内に搬入、施工することにより、使用可能となる。ところが、完成品を搬入する場合には、大きくて嵩張る木製陳列棚を搬送する必要があるため、運搬等に高いコストを要するという問題がある。そこで、近年、上記の各部品を搬入先にて組み立てる方式（組立式）の木製陳列棚が販売されている。
【先行技術文献】
【特許文献】
【０００４】
【特許文献１】特開２００３−２７５０７０号公報（図１等）
【特許文献２】特開２００３−２７５０７３号公報（図１等）
【発明の概要】
【発明が解決しようとする課題】
【０００５】
しかしながら、組立式の木製陳列棚は、ボルト及びナットでの組立式が大半を占めるため、組み立てに時間が掛かりすぎるという問題がある。また、上記したように、この種の陳列棚は、一対の木製柱パーツ同士を木製背面板で連結することにより構成されるため、両者の連結時に木製柱パーツが倒れたり、木製柱パーツと木製背面板との接合部分が破損するなどの問題がある。さらに、木製陳列棚は、組み立てることは考慮しているものの、分解することまでは考慮して設計されていない。よって、木製陳列棚を分解するためには、大量のボルト及びナットを取り外す等の作業が必要である。従って、店内でのレイアウト変更等を行うときに、木製陳列棚を分解して移設することは困難である。また、分解、移設時において、上記した接合部分が破損しやすいという問題もある。
【０００６】
本発明は上記の課題に鑑みてなされたものであり、その目的は、短時間で組立・分解可能であって、かつ木製柱パーツと木製背面板との接合強度が高い木製陳列棚を提供することにある。また、別の目的は、短時間で組立可能な木製陳列棚の組立方法を提供することにある。さらに、別の目的は、運搬が容易であって、木製陳列棚を短時間で組み立てることが可能な木製陳列棚のパーツセットを提供することにある。
【課題を解決するための手段】
【０００７】
上記課題を解決するために、請求項１に記載の発明は、柱部、及び、前記柱部の基端部に接続される柱ベース部を有する一対の木製柱パーツと、前記一対の木製柱パーツ同士を連結する木製背面板と、前記一対の木製柱パーツが有する一対の前記柱部間に設けられ、かつ前記木製背面板によって支持される木製バックパネルと、一対の前記柱部の先端部同士を接続し、かつ前記木製バックパネルを覆うことにより前記木製バックパネルを固定する木製笠木と、一対の前記柱部間に架け渡される木製棚板とを備え、前記木製棚板に商品が載置可能な木製陳列棚であって、前記柱部にメス側金具が取り付けられ、前記木製背面板の両端面に、前記メス側金具に係合するオス側金具が取り付けられ、前記オス側金具に、同オス側金具の表面から突出する突部が設けられ、前記突部は、前記オス側金具の表面に接続される軸部と、前記軸部に接続されかつ外径が前記軸部の外径よりも大きく設定された頭部とを備え、前記メス側金具に、前記突部が係脱可能な孔部が設けられ、前記孔部は、前記柱部の先端側に配置され、幅が前記頭部の外径よりも大きく設定された幅広部と、前記柱部の基端側に配置されて前記幅広部に連通し、幅が前記頭部の外径よりも小さくかつ前記軸部の外径よりも大きく設定された幅狭部とからなることを特徴とする木製陳列棚をその要旨とする。
【０００８】
請求項１に記載の発明によれば、木製背面板に取り付けられたオス側金具の突部を、木製柱パーツに取り付けられたメス側金具の孔部に係合させるだけで、一対の木製柱パーツを木製背面板を介して連結することができる。また、オス側金具の突部をメス側金具の孔部から取り外すだけで、一対の木製柱パーツから木製背面板を取り外すことができる。つまり、両木製柱パーツの連結や取り外しに必要最小限のボルト等を用いれば済むため、両木製柱パーツの連結や取り外しを短時間で行うことができ、ひいては、木製陳列棚を短時間で組立・分解することができる。また、オス側金具の突部は、軸部及び頭部からなるリベット状をなすため、突部が例えば板状をなす場合に比べて強度が高い。よって、木製柱パーツと木製背面板との接合部分に外力が作用したとしても、接合部分が破損しにくくなるため、木製柱パーツと木製背面板との接合強度を高めることができる。
【０００９】
請求項２に記載の発明は、請求項１において、前記メス側金具の裏面に、前記柱部に埋設される突片が設けられ、前記突片に突片用ネジ孔が設けられ、前記柱部を挿通したネジの先端部を前記突片用ネジ孔に螺着させることにより、前記メス側金具が前記柱部に固定されることをその要旨とする。
【００１０】
請求項２に記載の発明によれば、メス側金具の裏面に突片が設けられることにより、メス側金具自体が補強される。しかも、突片が柱部に埋設されることにより、メス側金具と柱部との接触面積が大きくなるため、柱部に対するメス側金具の取付強度も高くなる。さらに、柱部を挿通したネジの先端部を突片に設けられた突片用ネジ孔に螺着させることにより、メス側金具が柱部に固定されるため、柱部に対するメス側金具の取付強度がよりいっそう高くなる。その結果、メス側金具とオス側金具との係合部分に外力が作用したとしても、メス側金具が変形しにくくなるため、メス側金具が取り付けられた木製柱パーツとオス側金具が取り付けられた木製背面板との接合強度をよりいっそう高めることができる。
【００１１】
請求項３に記載の発明は、請求項１または２において、前記オス側金具は、同オス側金具の外縁部を直角に折り曲げてなる折曲部を有し、前記オス側金具にオス側金具用ネジ孔が設けられるとともに、前記折曲部に折曲部用ネジ孔が設けられ、前記オス側金具用ネジ孔を挿通したネジの先端部を前記木製背面板の端面に螺着させるとともに、前記折曲部用ネジ孔を挿通したネジの先端部を前記木製背面板の裏面に螺着させることにより、前記オス側金具が前記木製背面板に固定されることをその要旨とする。
【００１２】
請求項３に記載の発明によれば、オス側金具が折曲部を有することにより、オス側金具自体が補強される。その結果、オス側金具とメス側金具との係合部分に外力が作用したとしても、オス側金具が変形しにくくなるため、オス側金具が取り付けられた木製背面板とメス側金具が取り付けられた木製柱パーツとの接合強度をよりいっそう高めることができる。また、請求項３に記載のオス側金具においては、オス側金具のオス側金具用ネジ孔を挿通したネジの先端部が木製背面板の端面に螺着され、折曲部の折曲部用ネジ孔を挿通したネジの先端部が木製背面板の裏面に螺着される。このため、オス側金具とメス側金具との係合部分から木製背面板の端面や裏面に荷重が作用したとしても、オス側金具によって木製背面板を保護することができる。
【００１３】
請求項４に記載の発明は、請求項１乃至３のいずれか１項に記載の木製陳列棚を組み立てる方法であって、前記柱部に前記メス側金具が予め取り付けられた前記一対の木製柱パーツ、両端面に前記オス側金具が予め取り付けられた前記木製背面板、前記木製バックパネル、前記木製笠木及び前記木製棚板を準備する準備工程と、前記一対の木製柱パーツを並べた状態で、前記一対の木製柱パーツ間に前記木製背面板を挿入して前記オス側金具を前記メス側金具に係合させることにより、前記一対の木製柱パーツ同士を連結して立設状態とする連結工程と、前記木製バックパネルを前記一対の木製柱パーツが有する一対の柱部間に挿入して前記木製背面板に当接させることにより、前記木製バックパネルを固定するパネル固定工程とを含むことを特徴とする木製陳列棚の組立方法をその要旨とする。
【００１４】
請求項４に記載の発明によれば、連結工程において、木製背面板に取り付けられたオス側金具を木製柱パーツに取り付けられたメス側金具に係合させるだけで、一対の木製柱パーツを木製背面板を介して連結することができる。つまり、両木製柱パーツの連結に必要最小限のボルト等を用いれば済むため、両木製柱パーツを短時間で連結することができ、ひいては、木製陳列棚を短時間で組み立てることができる。
【００１５】
請求項５に記載の発明は、請求項１乃至３のいずれか１項に記載の木製陳列棚を組み立てるためのパーツセットであって、前記柱部に前記メス側金具が予め取り付けられた前記一対の木製柱パーツと、両端面に前記オス側金具が予め取り付けられた前記木製背面板と、前記木製バックパネルと、前記木製笠木と、前記木製棚板とを含むことを特徴とする木製陳列棚のパーツセットをその要旨とする。
【００１６】
請求項５に記載の発明によると、木製柱パーツの柱部にメス側金具が予め取り付けられ、木製背面板の両端面にオス側金具が予め取り付けられている。このため、請求項５に記載のパーツセットを用いて木製陳列棚を組み立てる際に、柱部にメス側金具を取り付ける作業や木製背面板にオス側金具を取り付ける作業が不要になる。従って、部品を簡単に運搬して、木製陳列棚を短時間で簡単に組み立てることができる。
【００１７】
請求項６に記載の発明は、複数の木製柱パーツと、隣接する前記木製柱パーツ同士を連結する木製連結材とを備え、商品が載置可能な木製陳列棚であって、前記木製柱パーツにメス側金具が取り付けられ、前記木製連結材の両端面に、前記メス側金具に係合するオス側金具が取り付けられ、前記オス側金具に、同オス側金具の表面から突出する突部が設けられ、前記突部は、前記オス側金具の表面に接続される軸部と、前記軸部に接続されかつ外径が前記軸部の外径よりも大きく設定された頭部とを備え、前記メス側金具に、前記突部が係脱可能な孔部が設けられ、前記孔部は、前記木製柱パーツの先端側に配置され、幅が前記頭部の外径よりも大きく設定された幅広部と、前記木製柱パーツの基端側に配置されて前記幅広部に連通し、幅が前記頭部の外径よりも小さくかつ前記軸部の外径よりも大きく設定された幅狭部とからなることを特徴とする木製陳列棚をその要旨とする。
【００１８】
請求項６に記載の発明によれば、木製連結材に取り付けられたオス側金具の突部を、木製柱パーツに取り付けられたメス側金具の孔部に係合させるだけで、一対の木製柱パーツを木製連結材を介して連結することができる。また、オス側金具の突部をメス側金具の孔部から取り外すだけで、一対の木製柱パーツから木製背面板を取り外すことができる。つまり、両木製柱パーツの連結や取り外しに必要最小限のボルト等を用いれば済むため、両木製柱パーツの連結や取り外しを短時間で行うことができ、ひいては、木製陳列棚を短時間で組立・分解することができる。また、オス側金具の突部は、軸部及び頭部からなるリベット状をなすため、突部が例えば板状をなす場合に比べて強度が高い。よって、木製柱パーツと木製連結材との接合部分に外力が作用したとしても、接合部分が破損しにくくなるため、木製柱パーツと木製連結材との接合強度を高めることができる。なお、木製連結材は、木製背面板であってもよいし木製前面板であってもよい。
【発明の効果】
【００１９】
以上詳述したように、請求項１〜３に記載の発明によると、短時間で組立・分解可能であって、かつ木製柱パーツと木製背面板との接合強度が高い木製陳列棚を提供することができる。また、請求項４に記載の発明によると、短時間で組立可能な木製陳列棚の組立方法を提供することができる。さらに、請求項５に記載の発明によると、運搬が容易であって、木製陳列棚を短時間で組み立てることが可能な木製陳列棚のパーツセットを提供することができる。
【図面の簡単な説明】
【００２０】
【図１】本実施形態の木製陳列棚を示す側面図。
【図２】本実施形態の木製陳列棚を示す正面図。
【図３】本実施形態において、木製背面板、木製バックパネル及び木製笠木の位置関係を示す説明図。
【図４】本実施形態において、柱部及び木製バックパネルの位置関係を示す説明図。
【図５】本実施形態において、木製柱パーツと木製背面板との関係を示す斜視図。
【図６】本実施形態において、メス側金具とオス側金具との関係を示す斜視図。
【図７】（ａ）はオス側金具の正面図、（ｂ）はオス側金具の側面図、（ｃ）はオス側金具の側断面図、（ｄ）はオス側金具の上面図。
【図８】（ａ）はメス側金具の正面図、（ｂ）はメス側金具の側面図、（ｃ）はメス側金具の裏面図、（ｄ）はメス側金具の上面図。
【図９】本実施形態の連結工程を示す斜視図。
【図１０】本実施形態のパネル固定工程を示す斜視図。
【図１１】本実施形態において、木製笠木を取り付ける工程を示す斜視図。
【図１２】他の実施形態における木製陳列棚を示す背面図。
【図１３】他の実施形態における木製陳列棚を示す側面図。
【図１４】他の実施形態における木製陳列棚を示す正面図。
【発明を実施するための形態】
【００２１】
以下、本発明を具体化した木製陳列棚の一実施形態を図面に基づき詳細に説明する。
【００２２】
図１，図２に示されるように、本実施形態の木製陳列棚１０は、店内において野菜や果物などの商品を見栄え良く陳列する際に用いられるものである。この木製陳列棚１０は、一対の木製柱パーツ１１、木製背面板１２（図３，図５，図９等参照）、木製バックパネル１３、木製笠木１４及び木製棚板１５を備えている。木製柱パーツ１１、木製背面板１２、木製バックパネル１３、木製笠木１４、木製棚板１５はいずれも木製であって、本実施形態では塗装仕上げされたパイン材を用いて加工されている。なお、木製柱パーツ１１、木製背面板１２、木製バックパネル１３、木製笠木１４、木製棚板１５の材料として、パイン材以外の木材を用いても勿論構わない。
【００２３】
図１，図２，図４，図５に示されるように、一対の木製柱パーツ１１は、略四角柱状の柱部２１と、同柱部２１の基端部側面に接続された略矩形板状の柱ベース部２２とをそれぞれ有し、側面視でＬ字状をなしている。両木製柱パーツ１１は、外形寸法が互いに同一となっている。また、柱部２１の基端部側面及び柱ベース部２２の下端部側面には、略矩形板状の補強材２３が貼付されている。補強材２３は、両木製柱パーツ１１を並べたときに、互いに対向する箇所に配置されており、柱ベース部２２の長手方向に沿って延びている。さらに、両木製柱パーツ１１の下端面には、それぞれ２個のキャスター２４が取り付けられている。
【００２４】
両柱部２１には、同柱部２１の長手方向に沿って延びるとともに柱部２１の正面２５にて開口する嵌合溝２６がそれぞれ形成されている。各嵌合溝２６は、柱部２１において柱ベース部２２との接続部分よりも上方の部位に配置されている。そして、各嵌合溝２６内には、帯状をなす取付金具２７が嵌合されている。取付金具２７には、縦長矩形状をなす複数のスリット孔２８が取付金具２７の長手方向に沿って配設されている。
【００２５】
なお、スリット孔２８には、金属製のブラケット２９（図１参照）の後端に設けられた係合爪（図示略）が係脱可能となっている。そして、両取付金具２７において同じ高さに位置する一対のスリット孔２８に対して、それぞれブラケット２９の係合爪を係合させることにより、両取付金具２７にそれぞれブラケット２９が取り付けられる。さらに、一対のブラケット２９の上面に木製棚板１５を載置することにより、木製棚板１５が、両ブラケット２９間に架け渡される。
【００２６】
図４，図５に示されるように、両柱部２１には、同柱部２１の長手方向に沿って延びる挿入溝３０がそれぞれ形成されている。各挿入溝３０は、両木製柱パーツ１１を並べたときに、互いに対向する柱部２１の側面３１にて開口している。また、各挿入溝３０は、柱部２１において柱ベース部２２との接続部分よりも上方の部位に配置されている。
【００２７】
図１，図２に示されるように、一対の柱ベース２２の先端部間は、略矩形板状の木製前板４１によって連結されている。本実施形態の木製前板４１は塗装仕上げされたパイン材を用いて加工されているが、勿論パイン材以外の木材を用いてもよい。さらに、一対の柱ベース部２２の上端面上及び木製前板４１の上端面上には、木製ステージ棚板４２が載置されている。本実施形態の木製前板４１及び木製ステージ棚板４２は、塗装仕上げされたパイン材を用いて加工されているが、勿論パイン材以外の木材を用いてもよい。
【００２８】
図３，図５に示されるように、木製背面板１２は、略矩形板状をなし、一対の木製柱パーツ１１同士を連結するためのものである。木製背面板１２には、同木製背面板１２の長手方向に沿って延びるとともに木製背面板１２の上端面にて開口する挿入溝５１が設けられている。また、木製背面板１２の裏面５２の下端部には、木製背面板１２の長手方向に沿って延びる略矩形板状の補強材５３が貼付されている。
【００２９】
図２〜図４に示されるように、木製バックパネル１３は、矩形板状をなし、両柱部２１間に設けられている。具体的に言うと、木製バックパネル１３は、両側部がそれぞれ挿入溝３０に挿入された状態で取り付けられている。さらに、木製バックパネル１３の下端部は、木製背面板１２の挿入溝５１に挿入されている。これにより、木製バックパネル１３が木製背面板１２によって支持される。
【００３０】
さらに、図１〜図３に示されるように、木製笠木１４は、一対の柱部２１の先端部同士を接続している。具体的に言うと、両柱部２１の上端部に設けられた貫通孔６１にそれぞれボルト６２（図１１参照）を挿通し、貫通孔６１を挿通したボルト６２の先端部を木製笠木１４の両端部に設けられたボルト孔６３にそれぞれ螺着させることにより、両柱部２１に木製笠木１４が取り付けられる。また、木製笠木１４には、同木製笠木１４の長手方向に沿って延びるとともに木製笠木１４の下端面にて開口する挿入溝６４が設けられている。なお、木製笠木１４を両柱部２１に取り付けた際において、挿入溝６４には木製バックパネル１３の上端部が挿入されるようになっている。これにより、木製バックパネル１３は、木製笠木１４によって覆われて、木製笠木１４によって固定される。
【００３１】
図３，図５に示されるように、木製背面板１２の一対の端面６５には、オス側金具７１がそれぞれ取り付けられている。具体的に言うと、オス側金具７１には、複数のオス側金具用ネジ孔７２が設けられている。これらのオス側金具用ネジ孔７２にネジ（図示略）を挿通し、それぞれのオス側金具用ネジ孔７２を挿通したネジの先端部を木製背面板１２に螺着させることにより、オス側金具７１が木製背面板１２の端面６５に取り付けられる。また、オス側金具７１は、木製背面板１２の高さ方向に沿って延びる矩形板状をなしており、木製背面板１２の端面６５の下側部分に取り付けられている。
【００３２】
図３，図５〜図７に示されるように、オス側金具７１には、同オス側金具７１の表面７３から突出する一対の突部７４が設けられている。両突部７４は、オス側金具７１の長手方向において互いに離間配置されている。また、突部７４は、軸部７５及び頭部７６を備えている。軸部７５は、円柱状をなしており、基端面がオス側金具７１の表面７３に接続されている。頭部７６は、円板状をなしており、中央部が軸部７５の先端面に接続されている。即ち、頭部７６の外径は、軸部７５の外径よりも大きくなっている。さらに、オス側金具７１は、同オス側金具７１の外縁部（図７（ａ）では右側の外縁部）を直角に折り曲げてなる折曲部７７を有している。なお、折曲部７７には複数の折曲部用ネジ孔７８が設けられている。これらの折曲部用ネジ孔７８にネジ（図示略）を挿通し、それぞれの折曲部用ネジ孔７８を挿通したネジの先端部を木製背面板１２に螺着させることにより、折曲部７７が木製背面板１２の裏面５２に取り付けられる。
【００３３】
図５，図６，図８に示されるように、両柱部２１には、オス側金具７１が係脱可能なメス側金具８１がそれぞれ取り付けられている。具体的に言うと、メス側金具８１には、複数のメス側金具用ネジ孔８２が設けられている。これらのメス側金具用ネジ孔８２にネジ（図示略）を挿通し、それぞれのメス側金具用ネジ孔８２を挿通したネジの先端部を柱部２１に螺着させることにより、メス側金具８１が柱部２１の側面３１に取り付けられる。また、メス側金具８１は、柱部２１の高さ方向に沿って延びる矩形板状をなしており、柱部２１の側面３１の下端部に取り付けられている。
【００３４】
さらに、メス側金具８１には、オス側金具７１の突部７４が係脱可能な一対の孔部８３が設けられている。両孔部８３は、メス側金具８１の長手方向において互いに離間配置されている。また、孔部８３は、略円形状をなす幅広部８４と略矩形状をなす幅狭部８５とからなっている。幅広部８４は、メス側金具８１において柱部２１の先端側に配置されている。なお、幅広部８４の幅Ｗ１は、突部７４の頭部７６の外径Ｌ１よりも大きく設定されている（図８（ａ）参照）。幅狭部８５は、メス側金具８１において柱部２１の基端側に配置され、幅広部８４に連通している。幅狭部８５の幅Ｗ２は、頭部７６の外径Ｌ１よりも小さく、かつ、突部７４の軸部７５の外径Ｌ２よりも大きく設定されている（図８（ａ）参照）。また、幅狭部８５の内周縁には、幅狭部８５の内側に突出する突起８６が設けられている。突起８６は、幅狭部８５の最奥部（図８（ａ），（ｃ）では最下部）に挿入された軸部７５の幅広部８４側への移動（抜け）を防止する抜け止めストッパーである。
【００３５】
図５，図６，図８に示されるように、メス側金具８１の裏面８７には、略矩形板状をなす突片８８が突設されている。突片８８は、メス側金具８１の上端部（柱部２１の先端側の端部）であって、メス側金具８１の幅方向における中央に配置されており、メス側金具８１の長手方向に沿って延びている。そして、突片８８は、柱部２１に埋設されるようになっている。また、突片８８には突片用ネジ孔８９が設けられている。突片用ネジ孔８９は、メス側金具８１の長手方向に沿って延びる長円形状をなしている。なお、本実施形態では、柱部２１の下部に設けられた貫通孔９０に木ネジ９１を挿通し、貫通孔９０を挿通した木ネジ９１の先端部を突片用ネジ孔８９に螺着している（図５，図６参照）。さらに、貫通孔９０内に木ダボ９１ａを打ち込むことにより、貫通孔９０を塞いでいる。その結果、柱部２１に対するメス側金具８１の取付強度が高くなる。
【００３６】
次に、木製陳列棚１０の組立方法を説明する。
【００３７】
まず、準備工程を行い、一対の木製柱パーツ１１、木製背面板１２、木製バックパネル１３、木製笠木１４、木製棚板１５、木製前板４１、木製ステージ棚板４２、一対のブラケット２９を含むパーツセットを準備する。なお、両木製柱パーツ１１の柱部２１には、メス側金具８１が予め取り付けられており、木製背面板１２の両端面６５には、オス側金具７１が予め取り付けられている。
【００３８】
続く連結工程では、一対の木製柱パーツ１１を並べた状態で、両木製柱パーツ１１間に木製背面板１２を挿入してオス側金具７１をメス側金具８１に係合させる（図９参照）。具体的には、木製背面板１２のそれぞれの端面６５において、オス側金具７１が備える一対の突部７４を、メス側金具８１が備える一対の孔部８３の幅広部８４にそれぞれ挿入する。次に、各突部７４の軸部７５を、幅広部８４に連通する幅狭部８５内に移動させる。その結果、オス側金具７１がメス側金具８１に係合し、両木製柱パーツ１１が、木製背面板１２を介して互いに連結され、立設状態となる。
【００３９】
さらに、両柱部２１の下部に設けられた貫通孔９２にそれぞれボルト９３（図５，図６，図９参照）を挿通する。貫通孔９２を挿通したボルト９３の先端部は、メス側金具８１の中央部に設けられた貫通孔９４、オス側金具７１の中央部に設けられた貫通孔９５を順番に挿通した後、木製背面板１２の両端部にそれぞれ螺着される。また、図５に示されるように、木製背面板１２の補強材５３の両端部に設けられたネジ固定用孔９６にそれぞれネジ９７を挿通し、ネジ固定用孔９６を挿通したネジ９７の先端部を、木製柱パーツ１１の補強材２３の一端部（メス側金具８１側の端部）に設けられたネジ孔９８に螺着させる。以上の結果、木製柱パーツ１１と木製背面板１２との接合強度がよりいっそう高くなる。
【００４０】
続くパネル固定工程では、木製バックパネル１３の両端部下端を、一対の柱部２１に設けられた挿入溝３０にそれぞれ挿入することにより、木製バックパネル１３を両柱部２１間に挿入する（図１０参照）。そして、木製バックパネル１３を下方にスライドさせ、木製バックパネル１３の下端部を木製背面板１２の挿入溝５１に落とし込み、挿入溝５１の底面に当接させる。
【００４１】
次に、両柱部２１の先端面上に木製笠木１４を載置する（図１１参照）。このとき、木製笠木１４の挿入溝６４には、木製バックパネル１３の上端部が挿入される。さらに、両柱部２１の上端部に設けられた貫通孔６１にそれぞれボルト６２を挿通し、貫通孔６１を挿通したボルト６２の先端部を木製笠木１４の両端部に設けられたボルト孔６３にそれぞれ螺着させる。その結果、両柱部２１に木製笠木１４が固定され、これに伴って木製バックパネル１３も固定される。
【００４２】
その後、一対の木製柱パーツ１１の柱ベース部２２の先端部間を、木製前板４１によって連結する。次に、一対の柱ベース部２２の上端面上及び木製前板４１の上端面上に、木製ステージ棚板４２を載置する。さらに、一対の柱部２１にある取付金具２７のスリット孔２８にそれぞれブラケット２９を取り付け、木製棚板１５を一対のブラケット２９上に載置する。この時点で、木製陳列棚１０が完成する。
【００４３】
なお、木製陳列棚１０を分解するには、まず、木製棚板１５、ブラケット２９、木製前板４１、木製笠木１４、木製バックパネル１３を順番に分解する。次に、木製背面板１２側のオス側金具７１が備える一対の突部７４の軸部７５を、木製柱パーツ１１側のメス側金具８１が備える孔部８３の幅狭部８５内から幅広部８４に移動させた後、突部７４全体を幅広部８４から引き抜く。その結果、オス側金具７１とメス側金具８１との係合が解除され、一対の木製柱パーツ１１と木製背面板１２が分解される。即ち、木製陳列棚１０が軽く小さい複数のパーツに分解されるため、各パーツを容易に運搬することが可能となる。
【００４４】
従って、本実施形態によれば以下の効果を得ることができる。
【００４５】
（１）本実施形態の木製陳列棚１０では、木製背面板１２に取り付けられたオス側金具７１の突部７４を、木製柱パーツ１１に取り付けられたメス側金具８１の孔部８３に係合させるだけで、一対の木製柱パーツ１１を木製背面板１２を介して連結することができる。また、オス側金具７１の突部７４をメス側金具８１の孔部８３から取り外すだけで、一対の木製柱パーツ１１から木製背面板１２を取り外すことができる。その結果、両木製柱パーツ１１の連結や取り外しを短時間で行うことができ、ひいては、木製陳列棚１０を短時間で組立・分解することができる。
【００４６】
（２）例えば、オス側金具に板状の鉤部（突部）を設けるとともにメス側金具にスリット孔（孔部）を設け、鉤部をスリット孔に係合させることにより、オス側金具をメス側金具に係合させることも考えられる。しかしながら、鉤部は薄い板状をなすため、鉤部とスリット孔との係合部分に外力が作用すると、変形しやすいという問題がある。また、鉤部を幅狭のスリット孔に入れ込んだ構造であることから、鉤部とスリット孔との摩擦力が大きいため、スリット孔から鉤部を取り外すことが困難である。よって、例えば、店舗間での木製陳列棚１０の移設や、店内でのレイアウト変更に伴う木製陳列棚１０の移動等を行うにあたり、木製陳列棚１０の分解が必要になった場合には、木製陳列棚１０の分解を職人に依頼する必要がある。また、無理に分解すると、各パーツの変形や破損に繋がるおそれもある。
【００４７】
一方、本実施形態では、オス側金具７１の突部７４は、軸部７５及び頭部７６からなるリベット状をなす、即ち、平面的なものではなく立体的なものであるため、突部７４が例えば板状をなす場合に比べて強度が高い。よって、突部７４と孔部８３との係合部分、即ち、木製柱パーツ１１と木製背面板１２との接合部分に外力が作用したとしても、接合部分が破損しにくくなるため、木製柱パーツ１１と木製背面板１２との接合強度を高めることができる。また、本実施形態では、突部７４と孔部８３との係合時において、軸部７５の外周面の一部のみが孔部８３の内周面に接触するため、両者の間に生じる摩擦力は小さい。よって、木製柱パーツ１１から木製背面板１２を取り外す際に、突部７４を孔部８３から容易に取り外すことができるため、職人に依頼しなくても、木製陳列棚１０を短時間で分解することができる。
【００４８】
（３）本実施形態では、メス側金具８１の突片８８に設けられた突片用ネジ孔８９に対して、柱部２１を挿通した木ネジ９１を螺着しており、木ネジ９１の螺着方向は、メス側金具８１の孔部８３に対するオス側金具７１の突部７４の係合方向とは別方向となっている（図５，図６参照）。その結果、メス側金具８１に対して複数方向から外力が作用したとしても、メス側金具８１が破損しにくくなるため、柱部２１に対するメス側金具８１の取付強度が高くなる。
【００４９】
なお、本実施形態を以下のように変更してもよい。
【００５０】
・上記実施形態では、メス側金具８１の上端部であって、メス側金具８１の幅方向における中央に突片８８が配置されていた。しかし、突片８８は、メス側金部８１の下端部に配置されていてもよいし、メス側金具８１の左端部や右端部に配置されていてもよい。また、突片８８は、複数設けられていてもよいし、省略されていてもよい。
【００５１】
・上記実施形態のオス側金具７１は、同オス側金具７１の外縁部（図７（ａ）では右側の外縁部）を直角に折り曲げてなる折曲部７７を有していた。しかし、折曲部７７を、オス側金具７１の左側の外縁部を直角に折り曲げることにより形成してもよいし、オス側金具７１の上側や下側の外縁部を直角に折り曲げることにより形成してもよい。また、折曲部７７は、複数設けられていてもよいし、省略されていてもよい。さらに、折曲部７７を形成する代わりに、折曲部７７と同一形状をなす板材を、溶接等によりオス側金具７１の外縁部に接続してもよい。
【００５２】
・上記実施形態の木製陳列棚１０では、矩形板状をなす１枚の木製バックパネル１３が用いられていたが、図１２の木製陳列棚１００に示されるように、複数（ここでは３つ）のスノコ１０１を木製バックパネルとして用いてもよい。
【００５３】
・上記実施形態の木製陳列棚１０では、柱部２１と柱ベース部２２とによってＬ字状に形成された木製柱パーツ１１が用いられていたが、柱部２１及び柱ベース部２２によって枠状等の他の形状に形成した木製柱パーツを用いてもよい。
【００５４】
・上記実施形態の木製陳列棚１０では、両木製柱パーツ１１の下端面に複数のキャスター２４が取り付けられ、各キャスター２４によって木製陳列棚１０を支持していたが、キャスター２４の代わりに、アジャスター等の他の支持体を用いてもよい。
【００５５】
・図１３に示されるように、木製柱パーツ１１の柱ベース部１１１の高さを、上記実施形態の柱ベース部２２の高さより高くしてもよい。このようにすれば、両柱ベース部１１１の上端面上に載置される木製ステージ棚板４２の位置が高くなる。しかも、上記実施形態よりも高さのある柱ベース部１１１を柱部２１に接続するため、柱ベース部１１１に対して柱部２１を垂直に維持しやすくなり、木製柱パーツ１１２の強度も向上する。また、木製ステージ棚板４２の位置が高くなるのに伴い、木製ステージ棚板４２の下方に比較的大きな収納空間が生じるため、収納空間内に例えばキャスター付きのストッカーを収納するようにしてもよい。このようにすれば、ストッカーに在庫品を保管しておくことができる。
【００５６】
・図１４に示されるように、複数（ここでは４本）の木製柱パーツ１１と、隣接する木製柱パーツ１１同士を連結する木製連結材とを備える木製陳列棚１２１としてもよい。
【符号の説明】
【００５７】
１０，１００…木製陳列棚
１１，１１２…木製柱パーツ
１２…木製背面板
１３…木製バックパネル
１４…木製笠木
１５…木製棚板
２１…柱部
２２，１１１…柱ベース部
５２…木製背面板の裏面
６５…木製背面板の端面
７１…オス側金具
７２…オス側金具用ネジ孔
７３…オス側金具の表面
７４…突部
７５…軸部
７６…頭部
７７…折曲部
７８…折曲部用ネジ孔
８１…メス側金具
８３…孔部
８４…幅広部
８５…幅狭部
８７…メス側金具の裏面
８８…突片
８９…突片用ネジ孔
９１…ネジとしての木ネジ
Ｌ１…頭部の外径
Ｌ２…軸部の外径
Ｗ１…幅広部の幅
Ｗ２…幅狭部の幅
【図１】
2020137840.tif 000003
【図２】
2020137840.tif 000004
【図３】
2020137840.tif 000005
【図４】
2020137840.tif 000006
【図５】
2020137840.tif 000007
【図６】
2020137840.tif 000008
【図７】
2020137840.tif 000009
【図８】
2020137840.tif 000010
【図９】
2020137840.tif 000011
【図１０】
2020137840.tif 000012
【図１１】
2020137840.tif 000013
【図１２】
2020137840.tif 000014
【図１３】
2020137840.tif 000015
【図１４】
2020137840.tif 000016